(57)【要約】  燃焼器用のエンドカバーアセンブリは、エンドカバーと、エンドカバーに強固に結合された燃料ノズルとを含む。燃料ノズルは、第１のプレートを軸方向に貫通して延在する複数の管と、燃料プレナムと、第２のプレートとを含み、各管は、第１のプレートの上流に画定された入口と、第２のプレートの下流に配置された出口とを有する。エンドカバーアセンブリは、エンドカバーに結合された前端と、前端から軸方向に離間された後端とを有する、入口流れ調整器をさらに含む。入口流れ調整器は、燃料ノズルの少なくとも一部を円周方向に囲んでいる。支持プレートは、入口流れ調整器の後端に結合される。燃料ノズルの各管は、支持プレートによって画定された対応する管穴を貫通して延在する。燃料ノズルは、支持プレートに結合される。【選択図】図１
2020508432.tif 000002
【特許請求の範囲】
【請求項１】
燃焼器（１４）用のエンドカバーアセンブリ（１００）であって、
エンドカバー（３２）と、
前記エンドカバー（３２）に強固に結合された燃料ノズル（１０２）であって、前記燃料ノズル（１０２）の第１のプレート（１１２）、燃料プレナム（１１８）、および第２のプレート（１１４）を軸方向に貫通して延在する複数の管（１２２）を含み、前記各管（１２２）が、前記第１のプレート（１１２）の上流に画定される入口（１２４）、および前記第２のプレート（１１４）の下流に配置される出口（１２６）を有する、燃料ノズル（１０２）と、
前記エンドカバー（３２）に結合される前端（１３８）、および前記前端（１３８）から軸方向に離間された後端（１４６）を有する入口流れ調整器（１０４）であって、前記燃料ノズル（１０２）の少なくとも一部を円周方向に囲む、入口流れ調整器（１０４）と、
前記入口流れ調整器（１０４）の前記後端（１４６）に結合される支持プレート（１０６）とを備え、前記燃料ノズル（１０２）の前記各管（１２２）は前記支持プレート（１０６）によって画定された対応する管穴（１５８）を貫通して延在し、前記燃料ノズル（１０２）は前記支持プレート（１０６）に結合される、エンドカバーアセンブリ（１００）。
【請求項２】
前記支持プレート（１０６）の対応する管穴（１５８）内に配置された付勢部材をさらに備え、前記付勢部材が、前記管穴（１５８）と、前記複数の管（１２２）の対応する管（１２２）との間に半径方向に延在する、請求項１に記載のエンドカバーアセンブリ（１００）。
【請求項３】
前記支持プレート（１０６）が、複数の取付穴（１６０）を画定し、前記入口流れ調整器（１０４）が、複数のファスナ穴（１５０）を画定し、前記複数の取付穴（１６０）の各取付穴（１６０）が、前記複数のファスナ穴（１５０）の各ファスナ穴（１５０）と位置合わせされる、請求項１に記載のエンドカバーアセンブリ（１００）。
【請求項４】
前記支持プレート（１０６）の下流に配置されたエンドプレート（１６２）をさらに備え、前記複数の管（１２２）の各管（１２２）の下流端（１６４）が、前記エンドプレート（１６２）を貫通して延在する、請求項１に記載のエンドカバーアセンブリ（１００）。
【請求項５】
前記入口流れ調整器（１０４）が、第２のスリーブ（１３４）によって円周方向に囲まれた第１のスリーブ（１３２）を含み、前記第２のスリーブ（１３４）が前記第１のスリーブ（１３２）から半径方向に離間されて、前記第１のスリーブ（１３２）と前記第２のスリーブ（１３４）との間に環状流路（１３６）を画定する、請求項１に記載のエンドカバーアセンブリ（１００）。
【請求項６】
前記第１のスリーブ（１３２）と、前記エンドカバー（３２）とが、前記複数の管（１２２）の前記管（１２２）の前記各入口（１２４）の上流に流れ分配プレナム（４２）を画定する、請求項５に記載のエンドカバーアセンブリ（１００）。
【請求項７】
前記第１のスリーブ（１３２）が、複数の開口（１４２）を画定し、前記複数の開口（１４２）が、前記環状流路（１３６）と、前記エンドカバー（３２）および前記第１のスリーブ（１３２）によって少なくとも部分的に画定される流れ分配プレナム（４２）との間に流体連通を提供する、請求項５に記載のエンドカバーアセンブリ（１００）。
【請求項８】
前記入口流れ調整器（１０４）が、前記第１のスリーブ（１３２）と前記第２のスリーブ（１３４）との間に半径方向に延在する、複数の支持ベーン（１４４）をさらに備える、請求項５に記載のエンドカバーアセンブリ（１００）。
【請求項９】
前記複数の支持ベーン（１４４）が、前記入口流れ調整器（１０４）の後端（１４６）に近接して配置される、請求項８に記載のエンドカバーアセンブリ（１００）。
【請求項１０】
燃焼器（１４）であって、
外側ケーシング（２８）と、
エンドカバーアセンブリ（１００）とを備え、前記エンドカバーアセンブリ（１００）が、
前記外側ケーシング（２８）に結合されるエンドカバー（３２）であって、前記エンドカバー（３２）および前記外側ケーシング（２８）が、高圧プレナム（３０）を少なくとも部分的に画定する、エンドカバー（３２）と、
前記エンドカバー（３２）に強固に結合された燃料ノズル（１０２）であって、前記燃料ノズル（１０２）の第１のプレート（１１２）、燃料プレナム（１１８）、および第２のプレート（１１４）を軸方向に貫通して延在する複数の管（１２２）を含み、前記各管（１２２）が、前記第１のプレート（１１２）の上流に画定される入口（１２４）、および前記第２のプレート（１１４）の下流に配置される出口（１２６）を有する、燃料ノズル（１０２）と、
前記エンドカバー（３２）に結合される前端（１３８）、および前記前端（１３８）から軸方向に離間された後端を有する入口流れ調整器（１０４）であって、前記燃料ノズル（１０２）の少なくとも一部を円周方向に囲む、入口流れ調整器（１０４）と、
前記入口流れ調整器（１０４）の前記後端（１４６）に結合される支持プレート（１０６）とを備え、前記燃料ノズル（１０２）の前記各管（１２２）は前記支持プレート（１０６）によって画定された対応する管穴（１５８）を貫通して延在し、前記燃料ノズル（１０２）は前記支持プレート（１０６）に結合される、燃焼器（１４）。
【請求項１１】
前記エンドカバーアセンブリ（１００）が、前記支持プレート（１０６）の対応する管穴（１５８）内に配置された付勢部材をさらに備え、前記付勢部材が、前記管穴（１５８）と、前記複数の管（１２２）の対応する管（１２２）との間に半径方向に延在する、請求項１０に記載の燃焼器（１４）。
【請求項１２】
前記支持プレート（１０６）が、複数の取付穴（１６０）を画定し、前記入口流れ調整器（１０４）が、複数のファスナ穴（１５０）を画定し、前記複数の取付穴（１６０）の各取付穴（１６０）が、前記複数のファスナ穴（１５０）の各ファスナ穴（１５０）と位置合わせされる、請求項１０に記載の燃焼器（１４）。
【請求項１３】
前記支持プレート（１０６）の下流に配置されたエンドプレート（１６２）をさらに備え、前記複数の管（１２２）の各管（１２２）の下流端（１６４）が、前記エンドプレート（１６２）を貫通して延在する、請求項１０に記載の燃焼器（１４）。
【請求項１４】
前記入口流れ調整器（１０４）が、第２のスリーブ（１３４）によって円周方向に囲まれた第１のスリーブ（１３２）を含み、前記第２のスリーブ（１３４）が前記第１のスリーブ（１３２）から半径方向に離間されて、前記第１のスリーブ（１３２）と前記第２のスリーブ（１３４）との間に環状流路（１３６）を画定し、前記環状流路（１３６）が、前記高圧プレナム（３０）と流体連通する、請求項１０に記載の燃焼器（１４）。
【請求項１５】
前記第１のスリーブ（１３２）と、前記エンドカバー（３２）とが、前記複数の管（１２２）の前記管（１２２）の前記各入口（１２４）の上流に流れ分配プレナム（４２）を画定する、請求項１４に記載の燃焼器（１４）。
【請求項１６】
前記第１のスリーブ（１３２）が、複数の開口（１４２）を画定し、前記複数の開口（１４２）が、前記高圧プレナム（３０）と、前記環状流路（１３６）と、前記エンドカバー（３２）および前記第１のスリーブ（１３２）によって少なくとも部分的に画定される流れ分配プレナム（４２）との間に流体連通を提供する、請求項１４に記載の燃焼器（１４）。
【請求項１７】
前記入口流れ調整器（１０４）が、前記第１のスリーブ（１３２）と、前記環状流路（１３６）内の前記第２のスリーブ（１３４）との間に半径方向に延在する、複数の支持ベーン（１４４）をさらに備える、請求項１４に記載の燃焼器（１４）。
【請求項１８】
前記複数の支持ベーン（１４４）が、前記入口流れ調整器（１０４）の後端（１４６）に近接して配置される、請求項１７に記載の燃焼器（１４）。
【発明の詳細な説明】
【技術分野】
【０００１】
本発明は、一般的にはガスタービンの燃焼器に関する。より具体的には、本発明は、燃焼器用のエンドカバーアセンブリに関する。
【背景技術】
【０００２】
ガスタービンエンジンの動作中には、圧縮機からの加圧空気は、燃焼器内に画定された流れ分配プレナムに流入する。加圧空気は、流れ分配プレナムから、それぞれの燃料ノズルの対応する予混合流路への入口に流入する。燃料は、１つ以上の燃料ノズルによって、予混合流路内の加圧空気の流れに注入される。燃料は加圧空気と混合され、（複数の）燃料ノズルから下流に画定された燃焼ゾーンまたは燃焼室に燃料空気混合気を提供する。
【０００３】
いくつかの構成では、各燃料ノズルの上流または前端は、エンドカバーまたは外側ケーシングなどの構造部材に結合される、または取り付けられる。各ノズルの下流または後端は、支持されないままにされる。このように、各燃料ノズルの片持ちにされた下流端は、燃焼器が様々な動作条件でサイクルを実施すると振動する場合があり、これによって高サイクル疲労設計マージンが低下する。
【先行技術文献】
【特許文献】
【０００４】
【特許文献１】米国特許出願公開第２０１５／０４０５７９号明細書
【発明の概要】
【０００５】
態様および利点は、以下の説明に記載されているか、以下の説明から明らかになり得るか、または実践により学ぶことができる。
【０００６】
本開示の一実施形態は、燃焼器用のエンドカバーアセンブリである。エンドカバーアセンブリは、エンドカバーと、エンドカバーに強固に結合された燃料ノズルとを含む。燃料ノズルは、第１のプレートを軸方向に貫通して延在する複数の管と、燃料プレナムと、第２のプレートとを含み、各管は、第１のプレートの上流に画定された入口と、第２のプレートの下流に配置された出口とを有する。エンドカバーアセンブリは、エンドカバーに結合された前端と、前端から軸方向に離間された後端とを有する、入口流れ調整器をさらに含む。入口流れ調整器は、燃料ノズルの少なくとも一部を円周方向に囲んでいる。支持プレートは、入口流れ調整器の後端に結合される。燃料ノズルの各管は、支持プレートによって画定された対応する管穴を貫通して延在し、燃料ノズルは支持プレートに結合される。
【０００７】
本開示の別の実施形態は、燃焼器である。燃焼器は、外側ケーシングと、エンドカバーアセンブリとを備える。エンドカバーアセンブリは、外側ケーシングに結合されたエンドカバーを含む。エンドカバーと外側ケーシングとは、高圧プレナムを少なくとも部分的に画定する。燃料ノズルは、エンドカバーに強固に結合される。燃料ノズルは、第１のプレートを軸方向に貫通して延在する複数の管と、燃料プレナムと、燃料ノズルの第２のプレートとを含む。各管は、第１のプレートの上流に画定された入口と、第２のプレートの下流に配置された出口とを有する。エンドカバーアセンブリは、エンドカバーに結合された前端と、前端から軸方向に離間された後端とを有する、入口流れ調整器をさらに含む。入口流れ調整器は、燃料ノズルの少なくとも一部を円周方向に囲んでいる。エンドカバーアセンブリは、入口流れ調整器の後端に結合された支持プレートをさらに含む。燃料ノズルの各管は、支持プレートによって画定された対応する管穴を貫通して延在し、燃料ノズルは支持プレートに結合される。
【０００８】
当業者であれば、本明細書の検討において、このような実施形態の特徴および態様などをよりよく理解するであろう。
【０００９】
様々な実施形態の完全かつ実施可能な開示は、その最良の形態の当業者に対する開示を含めて、以下の添付の図の参照を含む、本明細書の以降の部分でより詳細に述べられる。
【図面の簡単な説明】
【００１０】
【図１】本開示の様々な実施形態を組み込むことができる例示的なガスタービンの機能ブロック図である。
【図２】本開示の様々な実施形態を組み込むことができる例示的な燃焼器の簡略断面側面図である。
【図３】本開示の少なくとも１つの実施形態による、図２に示す燃焼器の一部の側断面図である。
【図４】少なくとも１つの実施形態による、図３に示す例示的な入口流れ調整器の斜視側面図である。
【図５】本開示の少なくとも１つの実施形態による、例示的な支持プレートの斜視図である。
【図６】本開示の少なくとも１つの実施形態による、図２に示す燃焼器の一部の側断面図である。
【発明を実施するための形態】
【００１１】
次に、本開示の実施形態を提示するために詳細に参照し、その１つまたは複数の例を添付の図面に示す。詳細な説明は、図面中の特徴を参照するために、数字および文字による符号を用いる。図面中および説明中の同様または類似の符号は、本開示の同様または類似の部分を参照するために使用されている。
【００１２】
本明細書で使用する場合、「第１の」、「第２の」、および「第３の」という用語は、ある構成要素を別の構成要素から区別するために交換可能に使用することができ、個々の構成要素の位置または重要性を意味することは意図されていない。「上流」および「下流」という用語は、流体経路における流体の流れに対する相対的な方向を指す。例えば、「上流」は流体が流れてくる方向を指し、「下流」は流体が流れていく方向を指す。「半径方向に」という用語は、特定の構成要素の軸方向中心線に実質的に垂直な相対的な方向を指し、「軸方向に」という用語は、特定の構成要素の軸方向中心線に実質的に平行および／または同軸に整列する相対的な方向を指し、「円周方向に」という用語は、特定の構成要素の軸方向中心線の周りに延在する相対的な方向を指す。
【００１３】
本明細書で使用される専門用語は、特定の実施形態のみを説明するためのものであり、限定を意図するものではない。本明細書において使用されるとき、単数形「１つの（ａ）」、「１つの（ａｎ）」、および「この（ｔｈｅ）」は、文脈からそのようでないことが明らかでない限り、複数形も含むように意図される。「備える（ｃｏｍｐｒｉｓｅ）」および／または「備えている（ｃｏｍｐｒｉｓｉｎｇ）」という用語は、本明細書で使用する場合、記載した特徴、整数、ステップ、動作、要素、および／または構成要素が存在することを明示するが、１つまたは複数の他の特徴、整数、ステップ、動作、要素、構成要素、および／またはそれらの組が存在することまたは追加することを除外しないことがさらに理解されよう。
【００１４】
各例は、限定ではなく、説明のために提供される。実際に、それらの範囲または趣旨から逸脱することなく、修正および変形が可能であることは、当業者にとって明らかであろう。例えば、ある実施形態の一部として図示または説明された特徴を、別の実施形態について使用して、さらに別の実施形態を得ることができる。このように、本開示は、添付の特許請求の範囲およびそれらの均等物の範囲に含まれるような修正および変形を包含するように意図される。本開示の例示的な実施形態は、説明のために陸上発電用ガスタービンの燃焼器に関連して一般的に説明されるが、当業者であれば、本開示の実施形態が、任意の型または形態のターボ機械用燃焼器に適用でき、特許請求の範囲に具体的に記載されていない限り、陸上発電用ガスタービンの燃焼器または燃焼システムに限定されないことが容易に理解されよう。
【００１５】
ここで図面を参照すると、図１は、例示的なガスタービン１０の概略図を示す。ガスタービン１０は、一般に、圧縮機１２と、圧縮機１２の下流に配置された少なくとも１つの燃焼器１４と、燃焼器１４の下流に配置されたタービン１６とを含む。さらに、ガスタービン１０は、圧縮機１２をタービン１６に結合する１つまたは複数のシャフト１８を含んでもよい。
【００１６】
動作中、空気２０は圧縮機１２内に流れ、そこで空気２０が次第に圧縮され、これにより圧縮空気または加圧空気２２が燃焼器１４に供給される。圧縮空気２２の少なくとも一部は、燃焼器１４内で燃料２４と混合され、燃焼されて燃焼ガス２６を発生する。燃焼ガス２６は、燃焼器１４からタービン１６内に流れ、そこで（運動および／または熱）エネルギーが燃焼ガス２６からロータブレード（図示せず）に伝達されて、シャフト１８が回転する。機械的回転エネルギーは、その後、圧縮機１２への動力の供給、および／または発電などの様々な目的のために使用されてもよい。燃焼ガス２６は、その後ガスタービン１０から排出することができる。
【００１７】
図２に示すように、燃焼器１４は、圧縮機吐出ケーシングなどの外側ケーシング２８によって少なくとも部分的に囲まれてもよい。外側ケーシング２８は、燃焼器１４の様々な構成要素を少なくとも部分的に囲む高圧プレナム３０を少なくとも部分的に画定することができる。高圧プレナム３０は、圧縮機１２（図１）と流体連通し、圧縮空気２２をそこから受け取ることができる。エンドカバー３２は、外側ケーシング２８に結合されてもよい。１つまたは複数の燃焼ライナーまたは燃焼ダクト３４は、燃料空気混合気を燃焼させるための燃焼室または燃焼ゾーン３６を少なくとも部分的に画定することができ、および／または燃焼ガス２６をタービン１６の入口に向けて導くための、燃焼器１４を通る高温ガス経路を少なくとも部分的に画定することができる。
【００１８】
特定の実施形態では、燃焼ライナー３４は、最終的には、流れスリーブ３８によって部分的に円周方向に囲まれている。流れスリーブ３８は、単一の部品として、または複数の流れスリーブセグメントによって形成することができる。流れスリーブ３８は、燃焼ライナー３４から半径方向に離間して配置され、それらの間に流路または環状流路４０を画定する。流れスリーブ３８は、環状流路４０と高圧プレナム３０との間の流体連通を提供する複数の入口または穴を画定することができる。
【００１９】
図３は、本開示の少なくとも１つの実施形態による、図２に示す燃焼器１４の一部の側断面図を示す。様々な実施形態では、図２および図３に集合的に示すように、燃焼器１４は、エンドカバーアセンブリ１００を含む。様々な実施形態では、図３に示すように、エンドカバーアセンブリ１００は一般に、エンドカバー３２と、エンドカバー３２に結合される少なくとも１つの燃料ノズル１０２と、エンドカバー３２に結合され、（複数の）燃料ノズル１０２を少なくとも部分的に囲む入口流れ調整器１０４と、入口流れ調整器１０４に連結される、または強固に結合される支持プレート１０６とを備える。燃料ノズル１０２は、流体導管１０８、および／またはピン、ボルトなどの１つ以上の機械的ファスナ１１０によって、エンドカバー３２に強固に結合されてもよい。
【００２０】
特定の実施形態では、燃料ノズル１０２は、第１のプレートまたは前方プレート１１２と、第１のプレート１１２から軸方向に離間された第２のプレートまたは後方プレート１１４と、第１のプレート１１２と第２のプレート１１４との間に軸方向に延在する外側バンドまたは外側スリーブ１１６とを含む。特定の実施形態では、第１のプレート１１２、第２のプレート１１４、および外側スリーブ１１６は、集合的に燃料ノズル１０２内に燃料プレナム１１８を少なくとも部分的に画定することができる。流体導管１０８は、燃料プレナム１１８に燃料を供給するために、燃料供給源（図示せず）に、および第１のプレート１１２に流体連結されてもよい。
【００２１】
複数の管１２２を含む管束１２０は、第１のプレート１１２と、燃料プレナム１１８と、第２のプレート１１４とを貫通して延在する。管束１２０の各管１２２は、各入口１２４、入口１２４の下流に画定された出口１２６、および各予混合流路１２８を画定する、または含む。１本以上の管１２２が、燃料プレナム１１８と流体連通し、かつ各予混合流路１２８と流体連通する燃料ポート１３０を含む。
【００２２】
図４は、少なくとも１つの実施形態による、図３に示す例示的な入口流れ調整器１０４の斜視側面図を示す。様々な実施形態では、図３および図４に集合的に示すように、入口流れ調整器１０４は、第１のスリーブまたは内側スリーブ１３２と、第１のスリーブ１３２を円周方向に囲む、第２のスリーブまたは外側スリーブ１３４を含んでもよい。第２のスリーブ１３４は、第１のスリーブ１３２から半径方向に離間して配置され、それらの間に環状流路１３６を画定する。特定の実施形態では、第１のスリーブ１３２は、複数の管１２２が入口流れ調整器１０４から軸方向外向きに延在するように、燃料ノズル１０２の少なくとも一部を円周方向に囲んでもよい。
【００２３】
特定の実施形態では、図３に示すように、入口流れ調整器１０４の前端１３８は、エンドカバー３２に強固に結合される。例えば、入口流れ調整器１０４の前端１３８は、これに限定されないがピン、ボルトなどの１つ以上の機械的ファスナ１４０によって、エンドカバー３２に固定的に結合されてもよい。
【００２４】
特定の実施形態では、図３および図４に集合的に示すように、第１のスリーブ１３２は、第１のスリーブ１３２の周囲で円周方向に離間された、複数の開口または穴１４２を画定してもよい。複数の開口１４２は、第１のスリーブ１３２に沿って均一に離間または分配されてもよく、あるいは不均一に離間または分配されてもよい。特定の実施形態では、図３および図４に集合的に示すように、入口流れ調整器１０４は、入口流れ調整器１０４の後端１４６に近接して、第１のスリーブ１３２と第２のスリーブ１３４との間に半径方向かつ軸方向に延在する、複数の支持具またはガイドベーン１４４を含んでもよい。入口流れ調整器１０４の後端１４６は、入口流れ調整器１０４の中心線に対して軸方向に離間され、入口流れ調整器１０４の前端１３８の下流に配置される。支持具１４４は、少なくとも部分的に、開口１４２の上流にある環状流路１３６内に配置されてもよい。
【００２５】
特定の実施形態では、図３に示すように、第１のスリーブ１３２およびエンドカバー３２は、ヘッドエンド容積部または流れ分配プレナム４２を少なくとも部分的に画定することができる。環状流路１３６および複数の開口１４２は、高圧プレナム３０（図２）と流れ分配プレナム４２との間に流体の流れを提供する。第１のスリーブ１３２は、燃料ノズル１０２、および（複数の）流体導管１０８の少なくとも一部を円周方向に囲む。各管１２２の各入口１２４は、第１のスリーブ１３２内に配置され、流れ分配プレナム４２と流体連通する。
【００２６】
様々な実施形態において、図３に示すように、支持プレート１０６は、入口流れ調整器１０４に直接連結または結合され、燃料ノズル１０２の第２のプレート１１４の下流に配置される。支持プレート１０６は、ピン、ボルト、ねじなどの複数の機械的ファスナ１４８によって、入口流れ調整器１０４に結合または連結されてもよい。特定の実施形態では、図４に示すように、複数のファスナ穴１５０は、入口流れ調整器１０４の後端１４６の周囲に環状に配置される。各ファスナ穴１５０は、各機械的ファスナ１４８を受けるように、ねじ山をつける、あるいは形成されてもよい。特定の実施形態では、支持プレート１０６は、溶接によって入口流れ調整器１０４に固定的に結合されてもよい。特定の実施形態では、支持プレート１０６と入口流れ調整器１０４とは、単体として形成されてもよい。
【００２７】
図５は、本開示の少なくとも１つの実施形態による、例示的な支持プレート１０６の斜視図を示す。様々な実施形態では、図３および図５に集合的に示すように、燃料ノズル１０２は、少なくとも１つのボルトまたはファスナ１５２によって支持プレート１０６に結合される。例えば、特定の実施形態では、ファスナ１５２は、支持プレート１０６に画定された各穴１５４（図５）を貫通して延在し、燃料ノズル１０２の後方プレート１１４に沿って配置された、対応するボス１５６（図３）の中に入る。各ボス１５６は、ねじ山をつけてもよく、またはねじ込みインサート（図示せず）を含んでもよい。燃料ノズル１０２を支持プレート１０６に締結することによって、燃料ノズルは、２つの軸方向位置に拘束され、これによってエンドカバー結合部の応力を削減する。
【００２８】
特定の実施形態では、図５に示すように、支持プレート１０６は円形であってもよい。しかしながら、支持プレート１０６の特定の形状は、請求項に別段の記載がない限り、特定の形状に限定されない。図５に示すように、支持プレート１０６は、支持プレート１０６を横切って半径方向および円周方向に分配された複数の管穴１５８を画定し、その結果、各管穴１５８は、燃料ノズル１０２の複数の管１２２（図３）の対応する管１２２と同軸上に位置が合う、またはほぼ同軸上に位置が合う。図３に示すように、複数の管１２２の各管１２２は、支持プレート１０６の対応する管穴１５８を貫通して延在する。
【００２９】
特定の実施形態では、図５に示すように、支持プレート１０６は、円周方向に離間され、支持プレート１０６の外周に沿って配置された複数の取付穴１６０を画定する、または含む。各取付穴１６０は、入口流れ調整器１０４の対応するファスナ穴１５０（図４）と位置合わせされてもよい。このようにして、各機械的ファスナ１４８（図３）は、各取付穴１６０を貫通して延在し、各ファスナ穴１５０に入って、支持プレート１０６を入口流れ調整器１０４に固定する、または強固に結合してもよい。
【００３０】
特定の実施形態では、図３に示すように、エンドプレートまたはキャッププレート１６２が、支持プレート１０６の下流に配置されてもよい。この構成では、各管１２２の下流端１６４は、キャッププレート１６２を貫通して延在し、キャッププレート１６２の下流にある。キャッププレート１６２は、燃焼室３６で燃焼している燃焼ガス２６からの熱遮蔽を提供することができる。図３に示すように、キャップバレルまたは外側スリーブ１６６は、支持プレート１０６とキャッププレート１６２との間に軸方向に延在し、管束１２０の各管１２２の一部を円周方向に囲んでもよい。キャッププレート１６２は、キャップバレル１６６に固定的に結合されてもよい。特定の実施形態では、ファスナ１４８はキャップバレル１６６のフランジ部１６８を貫通して延在し、キャップバレル１６６およびキャッププレート１６２を入口流れ調整器１０４に固定してもよい。
【００３１】
図６は、本開示の少なくとも１つの実施形態による、図２に示す燃焼器１４の一部の側断面図である。特定の実施形態では、図６に示すように、エンドカバーアセンブリ１００は、燃料ノズル１０２と同様に構成された複数のノズルセグメント２０２を含む。複数のノズルセグメント２０２は、燃料ノズル１０２を囲んで環状に配置される。各ノズルセグメント２０２は、各流体導管２０８を介してエンドカバー３２に結合されてもよい。この構成では、各ノズルセグメント２０２は、各ファスナ２５２と、対応するボス２５６とによって支持プレート１０６にさらに結合され、これによって各ノズルセグメント２０２を軸方向の２箇所で拘束し、エンドカバー結合部の応力を削減する。
【００３２】
本明細書は、最良の形態を含めて、本発明を開示するために実施例を用いており、また、任意のデバイスまたはシステムを製作し使用し、任意の組み込まれた方法を実行することを含めて、いかなる当業者も本発明を実施することが可能となるように実施例を用いている。本発明の特許可能な範囲は、特許請求の範囲によって定義され、当業者が想到する他の実施例を含むことができる。そのような他の実施例は、それらが特許請求の範囲の文言から相違しない構造要素を有しており、あるいは特許請求の範囲の文言から実質的には相違しない同等の構造要素を含むならば、特許請求の範囲の技術的範囲に包含される。
【符号の説明】
【００３３】
１０  ガスタービン
１２  圧縮機
１４  燃焼器
１６  タービン
１８  シャフト
２０  空気
２２  圧縮空気または加圧空気
２４  燃料
２６  燃焼ガス
２８  外側ケーシング
３０  高圧プレナム
３２  エンドカバー
３４  燃焼ライナーまたは燃焼ダクト
３６  燃焼室または燃焼ゾーン
３８  流れスリーブ
４０  環状流路
４２  流れ分配プレナム
１００  エンドカバーアセンブリ
１０２  燃料ノズル
１０４  入口流れ調整器
１０６  支持プレート
１０８  流体導管
１１０  機械的ファスナ
１１２  第１のプレートまたは前方プレート
１１４  第２のプレートまたは後方プレート
１１６  外側スリーブ
１１８  燃料プレナム
１２０  管束
１２２  管
１２４  入口
１２６  出口
１２８  予混合流路
１３０  燃料ポート
１３２  第１のスリーブまたは内側スリーブ
１３４  第２のスリーブまたは外側スリーブ
１３６  環状流路
１３８  前端
１４０  機械的ファスナ
１４２  開口または穴
１４４  支持具またはガイドベーン
１４６  後端
１４８  機械的ファスナ
１５０  ファスナ穴
１５２  ファスナ
１５４  穴
１５６  ボス
１５８  管穴
１６０  取付穴
１６２  エンドプレートまたはキャッププレート
１６４  下流端
１６６  キャップバレルまたは外側スリーブ
１６８  フランジ部
２０２  ノズルセグメント
２０８  流体導管
２５２  ファスナ
２５６  ボス
【図１】
2020508432.tif 000003
【図２】
2020508432.tif 000004
【図３】
2020508432.tif 000005
【図４】
2020508432.tif 000006
【図５】
2020508432.tif 000007
【図６】
2020508432.tif 000008
【国際調査報告】
2020508432.tif 000009
2020508432.tif 000010